(57)【要約】【課題】  作業工数がかからず容易に組み立てることができ、梱包される物品を衝撃や振動から保護するとともに、付属品も確実に固定することができる緩衝材を提供すること。【解決手段】  シート材によって形成され、箱体に収容される物品を保護する梱包用緩衝材であって、物品が上部に載置される底板部と、シート材に設けられた切れ目と折り目に従ってシート材から引き起こされて底板部の端部に形成された立板部を有し、立板部が、梱包用緩衝材を箱体の所定の位置に位置決めするパッドを取り付け可能な取付部と、付属品を固定する固定部をなしており、取付部は、底板部に略垂直に立設され、固定部は、底板部と略平行をなす面を有し、取付部に連設されて取付部に連動して引き起こされることを特徴とする梱包用緩衝材とする。【選択図】  図５
2010202227.tif 000002
【特許請求の範囲】
【請求項１】
シート材によって形成され、箱体に収容される物品を保護する梱包用緩衝材であって、前記物品が上部に載置される底板部と、前記シート材に設けられた切れ目と折り目に従って前記シート材から引き起こされて前記底板部の端部に形成された立板部を有し、
前記立板部が、前記梱包用緩衝材を前記箱体の所定の位置に位置決めするパッドを取り付け可能な取付部と、付属品を固定する固定部をなしており、
前記取付部は、前記底板部に略垂直に立設され、
前記固定部は、前記底板部と略平行をなす面を有し、前記取付部に連設されて前記取付部に連動して引き起こされることを特徴とする梱包用緩衝材。
【請求項２】
前記シート材は、前記箱体の底面より外形が大きいことを特徴とする請求項１に記載の梱包用緩衝材。
【請求項３】
前記シート材が、段ボールシートであることを特徴とする請求項１又は２に記載の梱包用緩衝材。
【請求項４】
前記物品が、画像形成装置であり、前記付属品が、前記物品の外付け部品や取扱説明書等であることを特徴とする請求項１乃至３の何れかに記載の梱包用緩衝材。
【発明の詳細な説明】
【技術分野】
【０００１】
本発明は、梱包ケース内に梱包される物品を衝撃や振動から保護するとともに、付属品等も確実に固定することができる梱包用緩衝材に関するものである。
【背景技術】
【０００２】
一般に複写機、プリンタ、複合機等の大型の画像形成装置の梱包には、図６に示すようなパレットが付設され装置を載置する底函（２０１）と、載置された装置（Ｍ）を覆い隠すように上方から被せられる上函（２０２）からなる梱包ケース（２００）が広く用いられている。
【０００３】
こうした梱包ケース（２００）では、ケース内の角部をはじめ、装置（Ｍ）の形状に合わせて随所に保護パッド（２０３）等の緩衝材が配置され、梱包ケース内での装置（Ｍ）の動きを制限し衝撃や振動から装置（Ｍ）を保護しており、装置（Ｍ）の動きを規制することで、装置（Ｍ）と梱包ケース（２００）との間にスペースができる。
このスペースに外付け部品や取扱説明書等の付属品が収容されることがある。
【０００４】
しかし、スペースが広く付属品を確実に固定できなければ、輸送時等に梱包ケース（２００）内部で付属品が動き、付属品自身が傷んだり、装置（Ｍ）を傷つけたりするといった問題があった。
【０００５】
また、緩衝材の一例として、特許文献１には、板状シートを筒体に形成し、それにパルプモールド材を組み合わせて物品を保護する緩衝材が開示されており、高い強度の緩衝材が得られている。
【０００６】
しかし、特許文献１に記載の緩衝材は、一旦筒体に形成した板状シートの一部を逆に折り返し、パルプモールド材を筒体に収納させる等組立て作業が煩雑で工数がかかるといった問題がある。
【先行技術文献】
【特許文献】
【０００７】
【特許文献１】特開２００８−２４３１１号公報
【発明の概要】
【発明が解決しようとする課題】
【０００８】
本発明が解決しようとする課題は、作業工数がかからず容易に組み立てることができ、梱包される物品を衝撃や振動から保護するとともに、付属品も確実に固定することができる緩衝材を提供することである。
【課題を解決するための手段】
【０００９】
請求項１に係る発明は、シート材によって形成され、箱体に収容される物品を保護する梱包用緩衝材であって、前記物品が上部に載置される底板部と、前記シート材に設けられた切れ目と折り目に従って前記シート材から引き起こされて前記底板部の端部に形成された立板部を有し、前記立板部が、前記梱包用緩衝材を前記箱体の所定の位置に位置決めするパッドを取り付け可能な取付部と、付属品を固定する固定部をなしており、前記取付部は、前記底板部に略垂直に立設され、前記固定部は、前記底板部と略平行をなす面を有し、前記取付部に連設されて前記取付部に連動して引き起こされることを特徴とする梱包用緩衝材に関する。
【００１０】
請求項２に係る発明は、前記シート材は、前記箱体の底面より外形が大きいことを特徴とする請求項１に記載の梱包用緩衝材に関する。
【００１１】
請求項３に係る発明は、前記シート材が、段ボールシートであることを特徴とする請求項１又は２に記載の梱包用緩衝材に関する。
【００１２】
請求項４に係る発明は、前記物品が、画像形成装置であり、前記付属品が、前記物品の外付け部品や取扱説明書等であることを特徴とする請求項１乃至３の何れかに記載の梱包用緩衝材に関する。
【発明の効果】
【００１３】
請求項１に係る発明によれば、シート材によって形成され、箱体に収容される物品を保護する梱包用緩衝材であって、物品が上部に載置される底板部と、シート材に設けられた切れ目と折り目に従ってシート材から引き起こされて底板部の端部に形成された立板部を有し、立板部が、梱包用緩衝材を箱体の所定の位置に位置決めするパッドを取り付け可能な取付部と、付属品を固定する固定部をなしており、取付部は、底板部に略垂直に立設され、前記固定部は、底板部と略平行をなす面を有し、取付部に連設されて取付部に連動して引き起こされることにより、取付部を引き起こすことで同時に固定部が形成されるので、容易に組み立てることができ作業工数がかからない。また、箱体に収容される物品を衝撃や振動から保護するとともに、付属品も固定部により確実に固定することができる。
【００１４】
請求項２に係る発明によれば、シート材は、前記箱体の底面より外形が大きいことにより、シート材を箱体に押し込むことで、取付部及び固定部が自動的に起こされるので、より容易に梱包用緩衝材を組み立てることができる。
【００１５】
請求項３に係る発明によれば、シート材が、段ボールシートであることにより、軽量で容易に折り曲げることができ作業性が良く且つ十分な強度の梱包用緩衝材とすることができる。
また、不要となった後にはリサイクルも可能であり環境面において優れる。
【００１６】
請求項４に係る発明によれば、画像形成装置の梱包作業が容易になるとともに、ケーブル類や手差しトレイ等の外付け部品や取扱説明書といった付属品も固定させて同梱できるので、画像形成装置が破損したり傷付けられたりすることを防止できる。
【図面の簡単な説明】
【００１７】
【図１】本発明に係る梱包用緩衝材の一実施形態を形成するシート材を示す展開図である。
【図２】本発明に係る梱包用緩衝材の一実施形態の取付部と固定部を示す部分斜視図である。
【図３】本発明に係る梱包用緩衝材の一実施形態を示す平面図である。
【図４】本発明に係る梱包用緩衝材の一実施形態の使用状態を示す平面図である。
【図５】本発明に係る梱包用緩衝材の一実施形態の使用状態を示す部分斜視図である。
【図６】一般的な梱包用ケースの一例を示す図である。
【発明を実施するための形態】
【００１８】
以下、本発明に係る梱包用緩衝材の好適な実施形態について、図面を参照しつつ説明する。
図１は、本発明に係る梱包用緩衝材の一実施形態を形成するシート材を示す展開図である。
図１において実線は外形線及び切れ目を示し、一点鎖線は紙面手前に山折り、二点鎖線は紙面手前に谷折りする折り目を示す。
図１に示すように、シート材（１）は、切れ目、折り目によって底板部（２）と、立板部となる取付部（３）と固定部（４）に、区画されている。
立板部は、これら切れ目、折れ目に従って折り曲げて引き起こされることで底板部（２）の端部に形成される。シート材（１）は、立板部が形成された状態で梱包用緩衝材（１００）として使用される。
なお、本実施形態ではシート材（１）は略矩形をしているが、特にこれに限定されるものではない。
【００１９】
シート材（１）は、板紙や樹脂薄板等特に限定されないが、段ボールシートであることが好ましい。
軽量で容易に折り曲げることができ作業性が良く、且つ十分な強度を得ることができるからである。
また、不要となった後にはリサイクルや焼却処理も可能であり環境面において優れるからでもある。
【００２０】
シート材（１）の各折り目には、凸になる側（図１中、一点鎖線で示した折り目は紙面手前側、二点鎖線で示した折り目は紙面向こう側）にシート材（１）の厚みの半分程度までの切込みを設けても良い。
組み立てる際に所望の方向に折れ曲がり易くなるからである。
【００２１】
図１に示すように、取付部（３）はシート材（１）の四隅に形成されており、固定部（４）は、左上に位置する取付部（３）にシート材（１）の１辺に沿う方向に連設されている。
各取付部（３）には、掛止突起（３１）が形成されており、底板部（２）には、各掛止突起（３１）が掛止される位置決め孔（２１）が設けられている。
【００２２】
図２は、本発明に係る梱包用緩衝材の一実施形態の取付部と固定部を示す部分斜視図であり、図１における左上の取付部（３）、固定部（４）を引き起こした状態を示す図である。
図３は本発明に係る梱包用緩衝材の一実施形態を示す平面図である。
【００２３】
図１における取付部（３）を引き起こし、折れ目に従って折り曲げて掛止突起（３１）を位置決め孔（２１）に掛止させれば、取付部（３）は、図２に示すように底板部（２）に対して垂直をなし、図３に示すように平面視Ｌ字状をなして立設される。
【００２４】
この時、固定部（４）は、取付部（３）に連設されているので、取付部（３）が引き起こされると同時に連動して引き起こされ、図２に示すように底板部（２）と略垂直な部分と、該垂直部分の上端に底板部（２）と略平行な平面（４１）を有して形成される。
なお、平面（４１）は、図２では底板部（２）と平行であるが、これに限定されるものではなく、底板部（２）と略平行とは、底板部（２）と平行或いは鋭角を成すことを意味する。
【００２５】
以上のように、固定部（４）が取付部（３）に連設されていることで、取付部（３）の一部を持って引き起こすだけで折り目、切れ目に倣って取付部（３）と固定部（４）を同時に形成することができ、非常に作業性が良く、工数がかからない。
【００２６】
図１及び図３において、破線で示しているのは物品が収容される箱体（Ｂ）の側壁である。
図１に示すように、梱包用緩衝材（１００）を形成するシート材（１）は、その外形が箱体（Ｂ）の底面より大きいことが好ましい。
【００２７】
シート材（１）を箱体（Ｂ）の底面方向に押し込もうとする時に、箱体（Ｂ）の底面に立設された側壁がシート材（１）の外縁を押し上げるので、切れ目、折れ目に倣ってシート材（１）の取付部（３）及び固定部（４）が起こされて、略自動的に梱包用緩衝材（１００）が形成されるからである。
これにより、シート材（１）を箱体（Ｂ）の底面方向に押し込むと、図３に示すように略自動的に梱包用緩衝材（１００）が形成されるので、非常に容易に梱包用緩衝材（１００）を得ることができ作業工数がかからない。
【００２８】
なお、箱体（Ｂ）は、底面に対して側壁が立設されているものであれば特に限定されないが、例えば図６に示すような蓋を有さない浅い底函（２０１）に物品を載置して、上方から上函（２０２）を被せて１つの箱体とする梱包ケース（２００）等が好適に用いられる。
【００２９】
図４は梱包用緩衝材（１００）の使用状態を示す平面図、図５は梱包用緩衝材（１００）の使用状態を示す斜視図である。
上記したようにして組み立てられた梱包用緩衝材（１００）は、その取付部（３）に図４、５に示すようにパッド（Ｐ）を取り付けることができる。
取付部（３）には図１〜３に示すように係止部（３２）が設けられており、図４、５に示すようにパッド（Ｐ）に設けられた切り欠きに係止部（３２）を係止してパッド（Ｐ）を固定する。
パッド（Ｐ）は、梱包用緩衝材（１００）を箱体（Ｂ）の所定の位置に配置、固定する。
図４に示すように、箱体（Ｂ）に収容される物品（Ｍ）は、梱包用緩衝材（１００）で固定されて保護される。
【００３０】
物品（Ｍ）と箱体（Ｂ）の隙間に外付け部品や取扱説明書等の付属品（Ａ）が収納される。
付属品（Ａ）は、図４、５に示されるように、固定部（４）によって固定され安定して保持されるので、箱体（Ｂ）内で付属品（Ａ）が動き、物品（Ｍ）を傷つけたり破損させたりしない。
【００３１】
なお、本実施形態では、固定部（４）は図４において左上隅にのみ設けられて、それに対向する右上隅のパッド（Ｐ）との間で付属品（Ａ）を狭持しているが、これに限定されるものではなく、固定部（４）を２箇所に設けて狭持するようにしても良い。
【００３２】
梱包用緩衝材（１００）に収容される物品（Ｍ）は、特に限定されるものではないが、複写機やプリンタ或いは複合機等の画像形成装置とすれば、画像形成装置の梱包作業が容易になるとともに、ケーブル類や手差しトレイ等の外付け部品や取扱説明書といった付属品を固定させて同梱でき、画像形成装置が破損したり傷付けられたりすることを防止できる。
【産業上の利用可能性】
【００３３】
本発明は、梱包ケース内に梱包される画像形成装置等の物品を衝撃や振動から保護するとともに、付属品等も確実に固定することができる梱包用緩衝材に対して利用されるものである。
【符号の説明】
【００３４】
１００  梱包用緩衝材
１      シート材
２      底板部
３      取付部
４      固定部
Ａ      付属品
Ｂ      箱体
Ｍ      物品
Ｐ      パッド
【図１】
2010202227.tif 000003
【図２】
2010202227.tif 000004
【図３】
2010202227.tif 000005
【図４】
2010202227.tif 000006
【図５】
2010202227.tif 000007
【図６】
2010202227.tif 000008